(57)【要約】【課題】通常のロングティーは地面に差し込んだ所から折れやすく又高さを地面に差し込みながら高さを調節するのが一般のロングティーであるが、安定した状態で高さ調節できるようにする。【解決手段】このスライド式ロングティー１は上側部３と下側部２を同じ射出成型することで、上側部２と下側部３とを、それぞれの機能をもち組合せることで上側部２にゴルフボール載置し下側部２は地面に差し込む部分と区別していて差し込むと安定した高さになる、固定の高さより高くしたい時は左、右の手で上、下に引いて又高さをもうけている部分だけスライドをすることで高く調節できる特徴とするスライド式ロングティー。【選択図】  図３
2015051184.tif 000002
【特許請求の範囲】
【請求項１】
ゴルフ用のロングティーであって、プラスチック製の下側部と、この下側部の上側から形成された挿入孔に挿入される挿入部及びこの挿入部の上端に形成されたゴルフボール載置部を有するプラスチック製の上側部と、を備え、前記挿入孔は下側抜け止め孔と上側の調整孔とを有し、前記挿入部は前記抜け止め孔にスライド可能に挿入されるとともに抜け止めされる下側のストッパー部と前記調整孔と摺動可能に係合する係合部を有する調整部とを有し、前記調整孔に対する前記調整部の高さ位置を調節することにより上側部の高さを調節できることを特徴とするスライド式ロングティー。
【請求項２】
前記ストッパー部の下端部に前記抜け止め孔の上端と係合するストッパーが形成されていて、このストッパーは抜け止め孔の上端を通過するときにちぢまり、前記抜止め孔に入り込むと広がることを特徴とする請求項１記載のスライド式ロングティー。
【請求項３】
前記ストッパー部には上下方向に延びる貫通孔が形成されていて、前記ストッパーを前記抜け止め孔に入り込ませてからこの貫通孔につぶれ防止ピンを差し込むことを特徴とする請求項２記載のスライド式ロングティー。
【請求項４】
前記調整部には前記調整孔と係合する環状凸部が形成されている、ことを特徴とする請求項１、２又は３記載のスライド式ロングティー。
【発明の詳細な説明】
【技術分野】
【０００１】
この発明は２種類の成型品を組合わせることで上側部と下側部を連結することにより、地面に差し込む部分と地上に出る部分と区別されているものであることを特徴とするスライド式ロングティーに関する。
【背景技術】
【０００２】
ロングティーは従来いくつもの種類が知られており、形状としては木製の物や又は樹脂製にやわらかい加工品を取り付けた物や柔らかなゴム製の物に硬い樹脂製の物なので手加減で高さを調整しなければならないものである。
【０００３】
しかし今日のロングティーは適用部位に加えられる指先での地面に差し込む    手加減によって高さを調整し適用部位の形状に調節しなければならず高さの    安定にかけている。使用者の手加減によって必ずしも適切な力を加えても安定とは言えない。図６は従来のロングティーを示したものであり従来のロングティーは使用者にとって適度に指先での手加減をしなければならず単調で使用しづらいという欠点がある。特許文献１の発明はこの従来のロングティーと同種のものである。
【先行技術文献】
【特許文献】
【０００４】
【特許文献１】特開２０１１−１５８４７号公報
【発明の概要】
【発明が解決しようとする課題】
【０００５】
本発明が解決しようとする問題点は通常のロングティーは使用者が地面への差し込み量を調整して高さを適切な手加減で調整しなければならない点である。本発明は、これからの問題点を解決した、スライド式ロングティーを提供する。すなわち地面に差し込む部分と地上に出る部分を区別し又折れにくい素材樹脂を使用して２種類の製品を組合わせることで、スライド式ロングティーとして詰めたものである。例えば上側部を下側部に差し込むだけで上げ下げすることで高さの調整が出来るロングティーとして効果を期待するものでありスライド式ロングティーとして提供するものである。ここでは、下側部の地面への差し込み量は一定としておくことができる。
【課題を解決するための手段】
【０００６】
この目的を達成するためのスライド式ロングティーは、ゴルフ用のロングティーであって、プラスチック製の下側部と、この下側部の上側又は上面から形成された挿入孔に挿入される挿入部及びこの挿入部の上端に形成されたゴルフボール載置部を有するプラスチック製の上端部と、を備え前記挿入孔は下側の抜け止め孔と上側の高さ調整孔とを有し、前記挿入部は前記抜け止め孔にスライド可能に挿入されるとともに抜け止めされる下側のストッパー部と前調整孔に摺動可能に係合する係合部を有する、調整部とを有し、前記調整孔に対する前記調整部の高さ位置を調節することにより上側部の高さ調節できるものである前記ストッパー部の下側部に前記抜け止め孔の上端と係合する、ストッパーが形成されていて、このストッパーは抜け止め孔の上端を通過するときにちぢまり、前記抜け止め孔に入り込むとひろがるように構成してもよい。前期ストッパー部には上下方向に延びる貫通孔が形成されていて、前記ストッパーを前記抜け止め孔に入り込ませてから、この貫通孔につぶれ防止ピンを差し込むことが効果的である。前記調整部には前記調整孔と係合する環状凸部が形成されていてもよい。
【発明の効果】
【０００７】
本発明は２種類のプラスチック製品による成型品で上側部と下側部を組合わせる事でスライド式ロングティーとなり柔軟な素材樹脂を使用のため地面に差し込んだ部分から折れにくく環境にやさしく折れたティーがティーグランドにちらばらないため怪我などの防止に安全に使用でき芝の手入の管理者などにも効果利点がある、ティーの高さ調整は上側部を下側部に対して、上下させることにより行う。ストッパー部の下端部にひろがることにより抜け止め孔の上端と係合するストッパーを形成すれば、上側部を下側部に対して簡単な構成でスライド可能に抜け止めできる。
【図面の簡単な説明】
【０００８】
【図１】本発明のスライド式ロングティーの上側部
【図２】本発明のスライド式ロングティーの下側部
【図３】本発明の上側部と下側部組立図
【図４】本発明の最上高さの組立図
【図５】本発明上側部の差込ピン
【図６】従来にロングティーの説明図
【発明を実施するための形態】
【０００９】
本発明に係るスライド式ロングティーは折れにくい素材を使用して長持ちするように形成された２種類の製品を組み合せて構成されている、２種類の製品のうちの上側部を図１を参照して説明し、下側部を図２を参照して説明する。
【００１０】
本発明に係るスライド式ロングティー１は図３に示すように射出成型品である下側部２に射出成型品である上側部３を挿入することにより構成されている。
【００１１】
上側部３は、図１に示すように、上側の大径のゴルフボール載置部４と、下側の挿入部５と、を一体的に有していて挿入部５はゴルフボール載置部４の下側に連続して形成された調整部６と、この調整部６の下側に連続して形成されたストッパー部７とから形成されている。調整部６は例えば１０ミリの長さを有する。
【００１２】
ゴルフボール載置部４には、ゴルフボールを載くための載置孔８が形成され、この載置孔８から下側に延びるように調整部６には肉追げ孔９が形成されている調整部６の外周には環状のリブ１０が４段形成されていてこの調整部６の下側のストッパー部７は断面長円形であり、先端１１が２または状に分割され、おのおのの先端にはストッパー突起１２が形成されている、ストッパー部７には肉追げ孔９から下端で閉口する差し込み孔１３が貫通して形成されている。
【００１３】
下側部２図２に示すように受入部１４とこの受入部１４の下側の差込部１５と、を一体的にに有し受入部１４は上面から挿入孔１６が形成されている。受入部１４に形成されている挿入孔１６は、上部の高さ調整孔１７と、この高さ調整孔１７の下側の抜け止め孔１８と、を有している。抜け止め孔１８には径方向対称位置に高さ方向に延びる一対の窓１９が形成されている。
【００１４】
上側部３は下側部２に差し込まれて接続されている。上側部３のストッパー部７は下側部２の調整孔１７の下側部を通過して下側部２の抜け止め孔１８内に差し込まれているが、ストッパー部７のストッパー突起には調整孔１７の下側部を通過するときに圧縮され抜け止め孔１８内に入り込むと広がる。広がったストッパー突起１２は窓１９内にスライド可能に入り込むが窓１９の天井面１７抜け止め係合する、なお、上側部３を下側部２に差し込んでから、ストッパー突起１２がアクシデントにより、ちぢまることがないように図５に示す差込ピン２０を肉追げ孔９から差し込み孔１３内に差し込んでおく（図１a参照）
【００１５】
上側部３の挿入部５を下側部２の挿入孔１６内に押し込むと上側部３は調整部６の下面が調整孔１７の底面に当接するまで下側部２に対して下降させ、また、ストッパー突起１２が窓１７の天井面１８に係合するまで上昇させることができる、上側部３の調整部６のリブ１０は下側部２の調整孔１７内を摺動するよ  うに形成されていて上側部３を下側部２に対して適当な高さに設定して保持できる。したがって上側部３の高さ位置を調整し下側部２の差込部１５をティーグランドに差し込めばゴルフボールを適切な高さ位置セットできる。すなわち、図３に示すように、上側部３を最も低くして使用することも図４に示すように、上側部３を最も高くして使用することもあり、上側部３を中ぐらいの高さにして使用することもできる。
【産業上の利用可能性】
【００１６】
本発明によって趣味ゴルファーに今日のロングティーは地面に差し込んだ所からドライバーのダブりなどで、すぐ折れて、また別のティーと取替では使用し折れたまま放置されることが多い。このスライド式ロングティーは折れにくい素材を使用して居るため長持をすることで環境にやさしく、又輸出産業としても期待できるものと考えられる。
【符号の説明】
【００１７】
１  スライド式ロングティー
２  下側部
３  上側部
４  ゴルフボール載置部
５  上側の挿入部
６  高さの調節部
７  ストッパー部
８  ゴルフボールを載くための載置孔
９  調節部６に肉追げ孔が形成されていること
１０  調整部６の外周にリブが４段形成されている
１１  ストッパー７の断面長円形の先端に二又状に分割されている
１２  ストッパーの先端には突起が形成されている
１３  肉追げ孔９から下端で閉口差込孔が貫通していくこと
１４  上面から挿入下側部の挿入孔である
１５  １４の受入部の下側の１５が地面に差し込む部である
１６  上面４から挿入孔が形成されていること
１７  上側部３の下側部１７で高さが調整する
１８  抜け止め孔１８とを有している
１９  抜け止め孔１８には径方向対位置に高さ方向に延びる一対の窓である
２０  差し込みピン(つぶれ防止ピン)９側から差し込孔に抜け止め防止となる
【図１】
2015051184.tif 000003
【図２】
2015051184.tif 000004
【図３】
2015051184.tif 000005
【図４】
2015051184.tif 000006
【図５】
2015051184.tif 000007
【図６】
2015051184.tif 000008